(57)【要約】【課題】数字キーを用いる文字入力装置及び文字入力方法において、簡易な文字入力を可能にし、文字入力速度を増加させる。【解決手段】所望の文字に対応する数字集合を入力するための０〜９の１０個の数字キーが配列される数字入力部１１０と、前記数字集合に対応する文字が表示されるディスプレイ部１３０と、複数の数字が独立して配列される第１の数字グループと第２の数字グループから任意に一つずつの数字キーが選択されてなる各数字集合に対して文字を一つずつ対応させる方法による複数の文字を配列した文字入力表を格納し、前記数字入力部から所定の数字集合が入力される場合に、前記数字集合に対応する前記文字入力表中の該当文字が、前記ディスプレイ部から表示されるように制御する制御部１２０を備える文字入力装置とした。【選択図】図１
2008059568.tif 000002
【特許請求の範囲】
【請求項１】
文字入力装置であって、
所望の文字に対応する数字集合を入力するための０〜９の１０個の数字キーが配列される数字入力部と、
前記数字集合に対応する文字が表示されるディスプレイ部と、
複数の数字が独立して配列される第１の数字グループと第２の数字グループから任意に一つずつの数字キーが選択されてなる各数字集合に対して文字を一つずつ対応させる方法により複数の文字を配列した文字入力表を格納し、前記数字入力部から所定の数字集合が入力される場合に、前記数字集合に対応する、前記文字入力表における該当の文字が前記ディスプレイ部から表示されるように制御する制御部、
を備えることを特徴とする文字入力装置。
【請求項２】
前記ディスプレイ部は、前記文字入力表を表示するための別のディスプレイ手段またはディスプレイ空間を備えることを特徴とする請求項１記載の文字入力装置。
【請求項３】
前記文字入力表は、アルファベットの大・小文字及びその他特殊文字を少なくとも含む英語入力表と、韓国語の子・母音及びその他特殊文字を少なくとも含む韓国語入力表と、日本語の５０音図及びその他特殊文字を少なくとも含む日本語入力表のうち、少なくとも一つを含むことを特徴とする請求項１記載の文字入力装置。
【請求項４】
前記文字入力表に配列される文字は、英語、日本語、韓国語、数字、その他特殊文字、特殊命令語に関連した文字を含むことを特徴とする請求項１記載の文字入力装置。
【請求項５】
前記制御部は、前記数字集合に対応する文字が特殊命令語に関連した文字である場合に、該当の命令を実行することを特徴とする請求項４記載の文字入力装置。
【請求項６】
前記数字入力部は、携帯用デバイスのキーパッド、電子機器に用いられる無線リモコンやカラオケデバイスの有無線マイクに備えられたキーパッドを含むことを特徴とする請求項１記載の文字入力装置。
【請求項７】
前記ディスプレイ部は、カラオケデバイスの映像及び字幕のためのディスプレイ装置を含むことを特徴とする請求項６記載の文字入力装置。
【請求項８】
文字入力方法であって、
複数の数字が独立して配列される第１の数字グループと第２の数字グループから任意の一つずつの数字が選択されてなる各数字集合に対して文字を一つずつ対応させる方法で複数の文字を配列した文字入力表が表示されるステップと、
０〜９の１０個の数字キーが配列された数字入力部から所望の文字に対応する数字集合が入力されるステップと、
前記数字集合に対応する、前記文字入力表中の該当文字が表示されるように制御するステップ、
を備えることを特徴とする文字入力方法。
【請求項９】
前記文字入力表と前記数字集合の入力によって表示される対応文字は、相互に異なるディスプレイ空間又は相互に異なるディスプレイ装置から表示されることを特徴とする請求項８記載の文字入力方法。
【請求項１０】
前記文字入力表は、アルファベットの大・小文字及びその他特殊文字を少なくとも含む英語入力表と、ハングル子・母音及びその他特殊文字を少なくとも含む韓国語入力表と、日本語の５０音図及びその他特殊文字を少なくとも含む日本語入力表の内少なくとも一つを含むことを特徴とする請求項８記載の文字入力方法。
【発明の詳細な説明】
【技術分野】
【０００１】
本発明は、数字キーを用いる文字入力装置及び文字入力方法に係り、より詳細には、数字キーを用いて様々な国の文字を便利に入力できる文字入力装置及び文字入力方法に関する。
【背景技術】
【０００２】
最近、情報通信需要の増加、通信機器、コンピュータデバイスのソフトウェア・ハードウェアの発展に伴って、デバイスはより小型化、高機能化、高性能化しつつある。そこで、様々な国の文字の入出力機能を効率的かつ合理的に処理できる装置の開発も要求されている。
【０００３】
情報通信機器において様々な国の文字を入力する装置には、１０３のキーを持つコンピュータキーボード方式と１２キーで入力する方式とがある。
【０００４】
このうち、コンピュータキーボード方式は、様々な国の文字を入力する装置として広く用いられているが、大きくて持ち歩き難いため携帯用装置への採用は難しい。しかも、これは、他の装置に付加的に結合し難いという問題点もある。
【０００５】
これに対し、従来の１２キーを用いる方式は、携帯電話やその他携帯用装置に広く用いられている。
【０００６】
図５は、従来の文字入力装置に備えられる１２キー用キーパッドを示す図である。
【０００７】
以下、図５を参照して、従来の１２キーのキーパッド１０を用いる方式について説明する。
【０００８】
図５において、まず、数字を入力する場合には、普通の数字キーを入力する既存の数字入力装置と同様にして該当の数字の表記されたキーを押下すれば良い。
【０００９】
なお、英文字の入力のために、各数字キー（ボタン）にはそれぞれ英語アルファベットが２〜３個ずつ表記されている。すなわち、‘１’には‘ＱＺ’、‘２’には‘ＡＢＣ’、‘３’には‘ＤＥＦ’、‘４’には‘ＧＨＫ’、‘５’には‘ＪＫＬ’、‘６’には‘ＭＮＯ’、‘７’には‘ＰＲＳ’、‘８’には‘ＴＵＶ’、‘９’には‘ＷＸＹ’が設定されている。
【００１０】
したがって、ユーザーが同じ数字キーを連続して押下すると当該キーに対応する英文字が順に表示される。例えば、‘５’番キーを２回連続して押下すると‘Ｋ’が入力され、‘７’番キーを３回連続して押下すると‘Ｓ’が入力される。
【００１１】
また、数字キー‘３’を１回押下すると、最初の文字である‘Ｄ’が入力され、‘３’を２回連続して押下すると‘Ｅ’が入力される。したがって、数字キー‘３’を継続して押下するとＤ，Ｅ，Ｆ，Ｄ，Ｅ，Ｆ…が順に表示され、所望の文字が表示されると移動キー（［＊］／［＃］など）を押下するか、一定の時間を持つことで所望の文字を入力することができる。その後、カーソルは他の文字の入力のために移動する。
【００１２】
韓国語文字の入力は英文字の入力と略同様である。すなわち、韓国語文字の入力のために、各数字キー（ボタン）にはそれぞれ該当する韓国語の子・母音が２〜３個ずつ表記されている。
【００１３】
上述したように、従来の携帯用端末機などに用いられている文字入力装置及び文字入力方法は、英語、日本語及び韓国語の文字を入力するとき、１つの文字を入力するには少なくとも３回のキー押下動作が必要とされる。例えば、英文字‘ｔｈｅ’を入力するには、８番キー１回、４番キー２回、及び３番キー２回の押下動作が必要となる。したがって、文字入力に時間がかかってしまう。
【００１４】
なお、数字を入力してから英文字を入力しなければならない場合には、入力モード切り替えが必要となる。例えば、‘３Ｆ’を入力する場合に、数字キー３を１回押下して数字‘３’を入力したのち、英文字入力モードに切り替わって数字キー３を３回連続して押下しなければならない。以降、特殊文字の入力がさらに必要な場合には、再び入力モードへの切り替えを行わねばならない。
【発明の開示】
【発明が解決しようとする課題】
【００１５】
このように、従来の文字入力方法は、文字入力に時間がかかる他、入力方法が複雑になるという問題点があった。
【００１６】
したがって、本発明の目的は、上記の問題点を克服できる、数字キーを用いる文字入力装置及び文字入力方法を提供することにある。
【００１７】
本発明の他の目的は、あらゆる文字や数字の入力を単純化及び簡素化できる、数字キーを用いる文字入力装置及び文字入力方法を提供することにある。
【００１８】
本発明のさらに他の目的は、文字入力速度を増加させることができる、数字キーを用いる文字入力装置及び文字入力方法を提供することにある。
【課題を解決するための手段】
【００１９】
上記目的を達成する本発明の一特徴による文字入力装置は、所望の文字に対応する数字集合を入力するための０〜９の１０個の数字キーが配列される数字入力部と、前記数字集合に対応する文字が表示されるディスプレイ部と、複数の数字が独立して配列される第１の数字グループと第２の数字グループから任意に一つずつの数字キーが選択されてなる各数字集合に対して文字を一つずつ対応させる方法で複数の文字を配列した文字入力表を格納し、前記数字入力部から所定の数字集合が入力される場合に、前記数字集合に対応する前記文字入力表における該当の文字が前記ディスプレイ部から表示されるように制御する制御部を備える構成とした。
【００２０】
前記ディスプレイ部は、前記文字入力表を表示するための別のディスプレイ手段またはディスプレイ空間を備えることができ、前記文字入力表は、アルファベットの大・小文字及びその他特殊文字を少なくとも含む英語入力表と、韓国語の子・母音及びその他特殊文字を少なくとも含む韓国語入力表と、日本語の５０音図及びその他特殊文字を少なくとも含む日本語入力表のうち、少なくとも一つを含むことができる。
【００２１】
前記文字入力表に配列される文字は、英語、日本語、韓国語、数字、その他特殊文字、特殊命令語に関連した文字を含むことができ、前記制御部は、前記数字集合に対応する文字が特殊命令語に関連した文字である場合に、該当の命令を実行させることができる。そして、前記数字入力部は、携帯用デバイスのキーパッド、電子機器に用いられる無線リモコンやカラオケデバイスの有無線マイクに備えられたキーパッドを含むことができる。また、前記ディスプレイ部は、カラオケデバイスの映像及び字幕のためのディスプレイ装置を含むことができる。
【００２２】
また、本発明による別の文字入力方法は、複数の数字が独立して配列される第１の数字グループと第２の数字グループから任意の一つずつの数字が選択されてなる各数字集合に対して文字を一つずつ対応させる方法で複数の文字を配列した文字入力表が表示されるステップと、０〜９の１０個の数字キーが配列された数字入力部から所望の文字に対応する数字集合が入力されるステップと、前記数字集合に対応する、前記文字入力表中の該当文字がディスプレイされるように制御するステップと、を備える構成とした。
【００２３】
前記文字入力表と前記数字集合の入力によってディスプレイされる対応文字は、相互に異なるディスプレイ空間又は相互に異なるディスプレイ装置から表示することができ、前記文字入力表は、アルファベットの大・小文字及びその他特殊文字を少なくとも含む英語入力表と、ハングル子・母音及びその他特殊文字を少なくとも含む韓国語入力表と、日本語の５０音図及びその他特殊文字を少なくとも含む日本語入力表のうち、少なくとも一つを含むことができる。
【発明の効果】
【００２４】
本発明によれば、３回又はそれ以上の数字キーを押下することによって一つの文字を入力する従来の１２キーによる複雑な文字入力方式を改善し、数字キーを単に２回押下することによって一つの文字を入力することができ、結果として簡易に文字入力を行うことが可能になる。なお、単一の文字入力表に文字、数字、特殊文字が配列されているため、文字入力後の数字入力時または文字入力後の特殊文字入力時にその入力速度を増加させることが可能になる。したがって、一つの指だけでも簡単に文字入力ができ、携帯用デバイスやカラオケデバイスなどに有用に活用できる。
【発明を実施するための最良の形態】
【００２５】
以下、本発明の好適な実施形態について図面を参照しつつ詳細に説明する。下記説明において、本発明の要旨のみを明瞭にするために、公知の機能又は構成についての詳細な説明は省略する。なお、図面中、同一の構成要素及び部分には、可能な限り同一の符号及び番号を共用するものとする。
【００２６】
図１は、本発明の一実施形態による文字入力装置を示すブロック構成図である。
【００２７】
図１に示すように、本発明の一実施形態による文字入力装置は、数字入力部１１０、制御部１２０、及びディスプレイ部１３０を備える。
【００２８】
数字入力部１１０は、所望の文字に対応する数字集合を入力するための０〜９の１０個の数字キーが配列されるキーパッドを備える。数字入力部１１０は、図５に示すような１２キーのキーパッドを備えても良く、特殊文字を除く数字キーのみを有する１０キーのキーパッドを備えても良い。
【００２９】
ディスプレイ部１３０は、数字集合に対応する文字を表示する機能を担う。
【００３０】
制御部１２０は、文字入力のための全般的な動作を制御する機能を果たす。まず、複数の数字が独立して配列される第１の数字グループと第２の数字グループから任意の数字が一つずつ選択されてなる各数字集合に対して文字を一つずつ対応させる方法による複数の文字を配列した文字入力表を格納する。以降、数字入力部１１０から所定の数字集合が入力されると、該数字集合に対応する、文字入力表中の該当の文字がディスプレイ部１３０から表示されるように制御する。
【００３１】
この文字入力表は、アルファベットの大・小文字及びその他特殊文字を少なくとも含む英語入力表、韓国語の子・母音及びその他特殊文字を少なくとも含む韓国語入力表、日本語の５０音図及びその他特殊文字を少なくとも含む日本語入力表、及び／又はその他外国語入力表を含む。これらの例を図２乃至図４に示す。
【００３２】
図２には英語入力表、図３には韓国語入力表、図４には日本語入力表がそれぞれ例示されている。
【００３３】
図２乃至図４に示す文字入力表はそれぞれが一例であり、これに限定されず、様々な方法によって配列を替えても良い。この場合、最も多く使用される文字順に、押下し易い数字集合に対応付けて配置することが最も好ましい。そして、中国語入力表やその他外国語入力表も、このような方法によって、本発明の属する技術分野における通常の知識を持つ者にとっては容易に構成可能である。
【００３４】
まず、このような文字入力表を図２に基づいて説明する。
【００３５】
図２の文字入力表には、横（行）に１〜０の１０個の数字が配列され、縦（列）にも１〜０の１０個の数字が配列される。そして、横と縦の数字グループから一つずつ選択された数字からなる数字集合に対応する部分にそれぞれ、入力される文字を配列する。この場合、最大１００個の文字が配列可能である。この文字入力表に配列される文字は、英語、日本語、韓国語、数字、その他特殊文字、特殊命令語に関連した文字を含むことができる。大部分の言語においては文字数が１００個を超えず、１つの文字入力表に全て配列可能である。しかし、文字規則性がないため、１００個の文字を入力できる１つの文字入力表で包括できない場合（すなわち、中国語文字入力表の場合）には、部数や多く使われる漢字順に配列して構成すると良い。
【００３６】
制御部１２０では、数字集合に対応する文字が、入力しようとする所望の文字であれば当該文字を入力し、数字集合に対応する文字が特殊命令語（例えば、挿入（Ｉｎｓｅｒｔ）、削除（Ｄｅｌｅｔｅ）、入力（Ｅｎｔｅｒ）等）に関る文字であれば、当該特殊命令を実行する。例えば、数字集合に対応する文字が‘Ｄｅｌｅｔｅ’の場合には、直前に入力した文字を削除する命令を実行する。
【００３７】
このような文字入力装置は、数字のみを用いて簡単に文字を入力する必要がある場合、ディスプレイ手段付き電子機器、移動通信端末機及び／又はカラオケデバイスに用いることができる。特に、数字入力部１１０は、携帯用デバイスのキーパッド、電子機器（ＴＶ、ＶＣＲ、ＰＣ）やカラオケデバイスの無線リモコンに備えられたキーパッド、または、カラオケデバイスの有／無線マイクに備えられたキーパッドを含むことができる。また、ディスプレイ部１３０は、文字入力表を表示するための別のディスプレイ手段やディスプレイ空間を備えることができる。そして、ディスプレイ部１３０は、カラオケデバイスの映像及び字幕のためのディスプレイ装置を含むことができる。
【００３８】
この文字入力装置がカラオケデバイスに使用される場合、曲目の選択や検索に用いられることができる。
【００３９】
以下、図２の文字入力表を例にして本発明の文字入力方式について説明する。
【００４０】
まず、英語の大文字‘Ｙ’を入力する場合を例にして説明する。
【００４１】
文字入力のために、まず、ディスプレイ部１３０のディスプレイ装置又はディスプレイ空間に、図２に示すような英語入力表が表示される。ただし、この英語入力表が既に周知されている、または、別の本や表として供給される場合には、表示しなくても良い。
【００４２】
次に、英語の大文字‘Ｙ’を入力するために、数字キー‘３’を押下する。この数字キー‘３’が押下されると、数字キー‘３’の行が活性化する。すなわち、大文字及び特殊文字‘ＵＶＷＸＹＺ．，／；’が活性化される。以降、列を指定する数字キーのうちどのキーを押下するかによって入力文字が異なってくる。例えば、数字キー‘１’を押下する場合には‘Ｕ’が入力され、数字キー‘０’を押下すると特殊文字‘；’が入力される。したがって、大文字‘Ｙ’を入力するためには数字キー‘５’を押下する。すなわち、数字集合（３，５）の選択（押下）によって、対応する文字‘Ｙ’が入力されるわけである。同様に、小文字‘ｇ’は、数字集合（４，７）の選択によって入力される。このような方法によって英文入力に必要なすべての文字を入力することが可能である。
【００４３】
特に、特殊命令語が選択される場合には、その特殊命令語に該当する命令を実行する。これらの命令語は数字‘０’に対応する行に配列されている。これらの命令語のうち、‘文字切り替え’は、英語入力、韓国語入力、日本語入力などを選択するための命令語であり、‘左、右、上、下’は、カーソル位置選択のための命令語である。その他、挿入（Ｉｎｓｅｒｔ）、削除（Ｄｅｌｅｔｅ）、入力（Ｅｎｔｅｒ）、バックスペース（ＢａｃｋＳｐａｃｅ）などの命令語は、本発明の属する技術分野における通常の知識を持つ者には周知であるので、その詳細は省略する。
【００４４】
上述のように、本発明では、数字キーを単に２回押下することによって一つの文字を入力することができる。したがって、本発明によると、３回又はそれ以上の数字キーを押下することによって一つの文字を入力する従来の複雑な文字入力方式を改善することが可能になる。すなわち、本発明によると、簡易に文字入力を行うことが可能になる。また、単一の文字入力表に文字、数字、特殊文字が配列されているため、文字入力後の数字入力時または文字入力後の特殊文字入力時にその入力速度を増加させることができる。
【００４５】
以上では、本発明の詳細について具体的な実施形態に基づいて説明してきたが、本発明の範囲から逸脱しない範囲内であれば、種々な変形が可能であることは言うまでもない。従って、本発明の範囲は、上記実施形態に限定されるものではなく、特許請求の範囲の記載及び該記載と均等なものにより定められるべきである。
【図面の簡単な説明】
【００４６】
【図１】本発明の一実施形態による文字入力装置のブロック構成図
【図２】図１の制御部に格納された英語文字入力表の例を示す図
【図３】図１の制御部に格納された韓国語文字入力表の例を示す図
【図４】図１の制御部に格納された日本語文字入力表の例を示す図
【図５】従来の１２キーのキーパッドを示す図
【符号の説明】
【００４７】
１１０  数字入力部
１２０  制御部
１３０  ディスプレイ部
【図１】
2008059568.tif 000003
【図２】
2008059568.tif 000004
【図３】
2008059568.tif 000005
【図４】
2008059568.tif 000006
【図５】
2008059568.tif 000007